(57)【要約】【課題】先に提案した特許出願の避難用ボックスを改良し、部屋に設置する際に勝手が良い形状を備え、より迅速に、より確実に身を守るための安全措置を講ずることのできる避難用ボックスを提供する。【解決手段】ポリカーボネート樹脂板などの耐衝撃性部材で構成した、長方形の天井と底面、及び正面、裏面、左右側面の４個の壁面からなる箪笥型の筐体の正面に施錠機構を備えた扉を設け、扉には施錠機構を備え、内部に収納可能に構成した取っ手を設けて、避難時に少ない手順で扉を施錠するとともに外部からの扉の開閉を困難にし、正面にはハーフミラーや、内部から開閉自在に構成した小窓を、内部には折りたたみ椅子や非常用通報装置を設置した。【選択図】図１
2005120667.tif 000002
【特許請求の範囲】
【請求項１】
直方体状の筐体の正面に、内部からの操作で施錠可能な施錠機構を備えた扉を設け、筐体の天井、正面、左右側面、及び扉を耐衝撃性部材で構成し、
少なくとも正面と扉に家具調の外装を施したことを特徴とする避難用ボックス。
【請求項２】
前記施錠機構は、扉の外側に設けられた外取っ手部と内側に設けられた内取っ手部とをスライド部を介して一体的に連結して取っ手を形成し、当該スライド部に切り欠きを設け、内取っ手部を引出すことにより外取っ手部が引込まれて、スライド部に設けられた切り欠きが露出する構成とし、
前記取っ手が設けられた扉のもう一方側の正面内壁に取付けられたロックつめを、内取っ手部を引出して露出させた切り欠きに係合させて施錠することを特徴とする請求項１に記載の避難用ボックス。
【請求項３】
前記外取っ手部がスライド部に仮止め手段で装着され、
扉を施錠した状態で、外取っ手に所定以上の力が加わると仮止め手段による装着が解除してスライド部より抜けることを特徴とする請求項２に記載の避難用ボックス。
【請求項４】
前記筐体の正面に、耐衝撃性を有するハーフミラー状の覗き窓を設けたことを特徴とする請求項１に記載の避難用ボックス。
【請求項５】
前記筐体の正面に、内部から開閉自在に構成した小窓を設けたことを特徴とする請求項１に記載の避難用ボックス。
【請求項６】
耐衝撃性部材をポリカーボネート樹脂板としたことを特徴とする請求項１に記載の避難用ボックス。
【請求項７】
内部に折りたたみ椅子、又は腰掛け用の突起部を設けたことを特徴とする請求項１に記載の避難用ボックス。
【請求項８】
内部に非常用通報装置を設けたことを特徴とする請求項１に記載の避難用ボックス。
【請求項９】
前記筐体の正面を弓状、又はくの字状に膨出させたことを特徴とする請求項１に記載の避難用ボックス。
【発明の詳細な説明】
【技術分野】
【０００１】
本発明は、一般住宅で使用する避難用ボックスに関するものである。詳細には、不審者が住宅に侵入した場合など、身の危険を感じた際に避難して、通報を受けた警備員や警察官が到着するまでの間、身を守るための避難用ボックスに関するものである。
【背景技術】
【０００２】
わが国においては、犯罪の増加、凶悪化が顕著であり、空き巣狙いの侵入が強盗事件に発展する事件が多発しているが、不審者の侵入に対する防御策は後れているのが現状である。一方、海外の犯罪先進国においては、一般的にセーフルームやパニックルームと呼ばれる、部屋そのものを避難用スペースとしたものや独立したボックスタイプのシェルターを設けて避難用スペースとしたものが利用されている。
【０００３】
例えば、図１４は海外において部屋の一隅に設置された避難用ボックスの態様を示す平面図である。避難用ボックスは部屋の一隅に家具に隣接した状態で置かれており、金庫のように頑丈な材料で構成された壁面と扉からなる。長時間にわたる避難も考慮して大型になっており、避難用スペースとしては優れたものになっている。しかし、その大きさのため、わが国においては実用的ではないし、側面に扉を設けて利用しているため、部屋に設置する際の勝手や空間の利用効率が悪かった。
【発明の開示】
【発明が解決しようとする課題】
【０００４】
住宅への侵入者の大部分は金品目的であり、家人の就寝時に侵入する可能性が高い。そこで、寝室に避難用ボックスが設置されていると、危険を察知した際に、即座に避難することができる。わが国では就寝時に多人数で寝ることは少ないため、避難用ボックスは一人、乃至二人が余裕をもって入れる広さがあれば十分である。
【０００５】
しかし、前記の避難用ボックスは二人から五人が入れる広さを備えているため大型で、その形状から、外観が一般的な家具のようには見えず、侵入者に避難用ボックスであることが容易にわかってしまうおそれがあり、その場合、侵入者が避難用ボックスに対してしつこく攻撃を加えたり、扉を開けようとしたりした際に、そういった行為を防止する手段や、侵入者に対抗する手段を何も備えていなかった。
【０００６】
部屋のスペースを効率的に利用した避難用ボックスについては、本出願人により、すでに特許出願がなされている（特願２００３−３１４７５９号）。この避難用ボックスは、方形の一つの角を、その対角線を横切る方向に裁断した略五角形の水平断面をもち、その裁断面に施錠機構を備えた扉が設けられている。
しかし、部屋の角に設置されることが前提となっており、ベッドやチェストなど他の家具との関係から、寝室に配置する際の勝手が悪かった。
【課題を解決するための手段】
【０００７】
上記課題を解決するために、請求項１記載のごとく、直方体状の筐体の正面に、内部からの操作で施錠可能な施錠機構を備えた扉を設け、筐体の天井、正面、左右側面、及び扉を耐衝撃性部材で構成し、少なくとも正面と扉に家具調の外装を施した避難用ボックスを提供する。
【０００８】
請求項２記載のごとく、前記施錠機構は、扉の外側に設けられた外取っ手部と内側に設けられた内取っ手部とをスライド部を介して一体的に連結して取っ手を形成し、当該スライド部に切り欠きを設け、内取っ手部を引出すことにより外取っ手部が引込まれて、スライド部に設けられた切り欠きが露出する構成とし、前記取っ手が設けられた扉のもう一方側の正面内壁に取付けられたロックつめを、内取っ手部を引出して露出させた切り欠きに係合させて施錠する避難用ボックスを提供する。
【０００９】
請求項３記載のごとく、前記外取っ手部がスライド部に仮止め手段で装着され、扉を施錠した状態で、外取っ手に所定以上の力が加わると仮止め手段による装着が解除してスライド部より抜ける避難用ボックスを提供する。
【００１０】
請求項４記載のごとく、前記筐体の正面に、耐衝撃性を有するハーフミラー状の覗き窓を設けた避難用ボックスを提供する。
【００１１】
請求項５記載のごとく、前記筐体の正面に、内部から開閉自在に構成した小窓を設けた避難用ボックスを提供する。
【００１２】
請求項６記載のごとく、耐衝撃性部材をポリカーボネート樹脂板とした避難用ボックスを提供する。
【００１３】
請求項７記載のごとく、内部に折りたたみ椅子、又は腰掛け用の突起部を設けた避難用ボックスを提供する。
【００１４】
請求項８記載のごとく、内部に非常用通報装置を設けた避難用ボックスを提供する。
【００１５】
請求項９記載のごとく、前記筐体の正面を弓状、又はくの字状に膨出させた避難用ボックスを提供する。
【発明の効果】
【００１６】
請求項１記載のごとく構成したことで、一般的な家具の形状と外観を備えており、避難ボックスであることが認識しにくく、寝室へ配置する際に勝手が良い、耐衝撃性に優れた避難用ボックスが提供できる。
【００１７】
請求項２記載のごとく構成したことで、鍵の必要がなく、少ない手順で扉を施錠することができ、さらに侵入者による扉の開閉を困難にし、短時間で避難して、身を守ることができる。
【００１８】
請求項３記載のごとく構成したことで、さらに侵入者による扉の開閉を困難にし、身を守ることができる。
【００１９】
請求項４のごとく構成したことで、外部からは内部が見えない状態で内部からは外部の様子を観察することができ、また、閉所恐怖を抑制できる。
【００２０】
請求項５記載のごとく構成したことで、催涙スプレーを噴射するなどして侵入者に対抗し、戦意を失わせることができる。
【００２１】
請求項６記載のごとく構成したことで、軽量で強い耐衝撃性を有する避難用ボックスが実現できる。
【００２２】
請求項７記載のごとく構成したことで、腰掛けて楽な姿勢をとることができ、避難が長時間にわたった場合や幼児を抱えている場合でも耐えることができる。
【００２３】
請求項８記載のごとく構成したことで、避難した後に、落ち着いて外部に救援を求めることができる。
【００２４】
請求項９記載のごとく構成したことで、内部の空間にゆとりが生じ、さらに避難用ボックスの強度を向上させることができる。
【発明を実施するための最良の形態】
【００２５】
以下、本発明の詳細を図面を参照して説明する。
図１は本発明の避難用ボックス１を示す斜視図であり、図２は避難用ボックス１の水平断面図、図３は避難用ボックス１の鉛直断面図である。
避難用ボックス１は、天井１１、底面１２、左側面６、右側面７、裏面８、正面９、及び正面９に設けられた開き戸式の扉１０からなる。
以上のうち天井１１、左側面６、右側面７、正面９、及び扉１０を耐衝撃性部材で構成し、少なくとも正面９と扉１０に家具調の外装を施す（図４）。耐衝撃性部材としては鉄板などを用いても良いが、アルミや鉄などの金属性フレームにポリカーボネート樹脂板を嵌め込んで壁面を形成すれば、対衝撃強度が大きく軽量なものが得られ、一般の住宅に設置するのに適している。
また、扉１０に施錠機構を設ける。
【００２６】
正面９や扉１０には覗き窓１５が設けられている。この覗き窓１５は、フレーム１８に、アクリルやガラス等を加工したハーフミラー１６とポリカーボネート板１７を取付けたもの、あるいはフレーム１８に、ハーフミラー状に加工されたポリカーボネート板を取付けたものである。図４に示してあるのは前者の構造である。
【００２７】
この避難用ボックス１は、図２に示すように、横幅は二人が並んで入れる長さとなっており、一人、乃至二人で使用するようになっている。また、図３に示すように、内部には折りたたみ椅子１９が設けられ、これに腰掛けた際に余裕がある奥行と、背の高い人でも楽に入れる高さとに設計されており、結果として、略箪笥型の大きさになる。ここで箪笥型とは、衣服収納用の家具の形状という意味であり、洋服箪笥のみならず、クローゼット状のものも含む意味である。
また、図示していないが、避難用ボックス１の内部には非常用通報装置が設けられている。
【００２８】
以上のように構成した避難用ボックス１は、図５，６に示すように寝室に設置する。
すなわち、裏面８を部屋の壁４に接した状態とし、左右に家具３を配置する（図５）。あるいは、裏面８と左側面６を部屋の壁４に接した状態とし、右側面７と正面９に接して家具３を配置する（図６）。また、いずれの場合も避難用ボックス１は床や部屋の壁４に固定し、侵入者によって容易に倒したり動かしたりできないようにする。
外装を家具調にしたので、周囲の家具３と一体になり、侵入者に避難用ボックス１であることが容易に認識されない。
【００２９】
また、余裕をもって腰掛けられるため、避難が長時間にわたる場合や、幼児を抱えた場合などでも対応できる。また、内部に通報装置が設けられているため、避難して安全を確保した後に通報することができる。
さらに、避難用ボックス１は、表面に露出する部分を耐衝撃性部材で形成したので、避難用ボックス内に逃げ込んだことを知った侵入者が、殴打や、場合によっては銃撃しても破壊することができず安全である。
【００３０】
前記覗き窓１５は、侵入者が室内の照明を点ければ、侵入者には内部が見えないが、内部からは侵入者の様子を窺うことができる。また、狭い避難用ボックス１内での閉所恐怖を和らげることができる。この覗き窓１５は左側面６や右側面７に設けてもよい。
【００３１】
次に第２実施の形態について図面を参照して説明する。
図７は避難用ボックス１の設置態様を示す平面図である。前記実施形態との違いは、扉１０を開き戸式でなく、引き戸式にした点である。
引き戸式扉１４にすると、開き戸式の扉１０と比べ扉の開閉に要する空間が少なくてすむという利点があるが、レール部分より扉を比較的容易に外すことができるという欠点もある。
【００３２】
次に第３実施の形態について図面を参照して説明する。
図８はその小窓３４を内部から見た正面図。図９は覗き窓１５に設けられた小窓３４の水平断面図である。
前記各実施形態との違いは、小窓３４を正面９や扉１０に設ける点である。
小窓３４は貫通孔２０と開閉金具２１、及び留金１３等からなっている。
軸２２を貫通孔２０を挟んで留金１３と対称となる位置に設け、開閉金具２１をこの軸２２を中心として回動可能に取付ける。また開閉金具２１の先端部に切込み５を設け、開閉金具２１を回動して、この切込み５を前記留め金１３に係合可能にする。
【００３３】
貫通孔２０は通常、図８の点線に示すように切込み５を留金１３にかけることで塞がれている。
使用するときは、開閉金具２１を軸２２を中心として上方に回動させ、留金１３から外して図８の実線の状態にする。この貫通孔２０から催涙スプレーなどのノズル２４を出して噴射し、扉を抉じ開けようとしたり、殴打するなどして執拗に攻撃してくる侵入者に対して反撃することができる。図９のように、覗き窓１５に小窓３４を設けた場合には、ハーフミラー１６にも貫通孔２０に対応した位置に小孔２３を設けてノズル２４を挿通する。
【００３４】
次に第４実施の形態について図面を参照して説明する。
図１０は扉１０に設けられた施錠機構の斜視図である。
前記各実施形態との違いは、取っ手３１、ロックハンドル２８、ロックつめ２９等よりなる施錠機構を取付ける点である。
この施錠機構は、扉の外側に設けられた外取っ手部２５ａと内側に設けられた内取っ手部２５ｂをスライド部３２を介して連結してなる取っ手３１をホルダー２６によって扉１０の端面に取付ける。取っ手３１は通常、弾性体２７により付勢されて実線で示した状態に位置し、外部から扉を開閉できるようになっている。内取っ手部２５ｂを引出すことにより外取っ手部２５ａが引込まれ、点線図示の位置に取っ手３１を収納することが可能となっている。
正面９には、逆Ｌ字状のロックハンドル２８とロックつめ２９を両者の交点を軸に回動自在に取付ける。
また、図１１に示したように、外取っ手部２５ａはスライド部３２にネジ３３で装着して、着脱可能にする。
【００３５】
以上からなる施錠機構は、避難用ボックス１に避難して扉１０を閉め、内取っ手２５ｂを引出して外取っ手２５ａを収納し、次に、ロックハンドル２８を回動させて、ロックつめ２９を、内取っ手２５ｂとともに引出されるスライド部３２に設けられた切り欠き３０に係合させて取っ手３１を固定するとともに扉１０を施錠する。
【００３６】
取っ手３１を固定すると同時に扉１０を施錠できるので、少ない手順で安全を確保することができるし、外取っ手２５ａが扉１０に密着しているため、外部から扉１０を開閉することができない。また、侵入者がバール等で外取っ手部２５ａを無理に引出そうとした場合には、ネジ３３の摩擦によりスライド部３２に装着されていた外取っ手部２５ａが抜けるため、外部からの扉１０の開閉は困難である。
さらに、図示していないが、収納時に外取っ手２５ａが密着する扉１０の所定箇所に凹部を形成して、そこに外取っ手２５ａを嵌合させて、外取っ手２５ａが露出しないようにすれば、バール等を外取っ手２５ａに引掛けることができず、扉１０の開閉はさらに困難になる。
施錠機構は、上記のものに限定されないが、上記構成にすると簡便な施錠作業で確実に施錠でき、また侵入者の開錠を困難にできるという利点がある。
【００３７】
次に第５実施の形態について図面を参照して説明する。
図１２、及び図１３は避難用ボックス１の態様を示す斜視図である。避難用ボックス１の正面７をくの字状（図１２）、又は弓状に突出させる（図１３）。
このことにより正面７の強度を向上させることができ、また内部のスペースにゆとりが生じる。さらに、外観も装飾的に優れたものにすることができ、寝室に設置して違和感がない。
【図面の簡単な説明】
【００３８】
【図１】避難用ボックス１の斜視図
【図２】避難用ボックス１の水平断面図
【図３】避難用ボックス１の鉛直断面図
【図４】木目調の外装を施した避難用ボックスの斜視図
【図５】避難用ボックス１の設置態様１を示す平面図
【図６】避難用ボックス１の設置態様２を示す平面図
【図７】避難用ボックス２の設置態様を示す平面図
【図８】小窓の内部正面図
【図９】覗き窓に設けられた小窓の水平断面図
【図１０】施錠機構の斜視図
【図１１】外取っ手部の斜視図
【図１２】避難用ボックス３の斜視図
【図１３】避難用ボックス４の斜視図
【図１４】従来の避難用ボックスの設置態様を示す平面図
【符号の説明】
【００３９】
１    避難用ボックス
２    扉
３    家具
４    部屋の壁
５    切込み
６    左側面
７    右側面
８    裏面
９    正面
１０  扉
１１  天井
１２  底面
１３  留金
１４  引き戸式扉
１５  覗き窓
１６  ハーフミラー
１７  ポリカーボネート板
１８  フレーム
１９  折りたたみ椅子
２０  貫通孔
２１  開閉金具
２２  軸
２３  小孔
２４  ノズル
２５ａ  外取っ手部
２５ｂ  内取っ手部
２６  ホルダー
２７  弾性体
２８  ロックハンドル
２９  ロックつめ
３０  切り欠き
３１  取っ手
３２  スライド部
３３  ネジ
３４  小窓
【図１】
2005120667.tif 000003
【図２】
2005120667.tif 000004
【図３】
2005120667.tif 000005
【図４】
2005120667.tif 000006
【図５】
2005120667.tif 000007
【図６】
2005120667.tif 000008
【図７】
2005120667.tif 000009
【図８】
2005120667.tif 000010
【図９】
2005120667.tif 000011
【図１０】
2005120667.tif 000012
【図１１】
2005120667.tif 000013
【図１２】
2005120667.tif 000014
【図１３】
2005120667.tif 000015
【図１４】
2005120667.tif 000016